(57)【要約】【課題】  テレビ電話による通話中に、ユーザの希望する情報を通話相手側に送信することのできる携帯電話端末を提供する。【解決手段】  たとえば、携帯電話機において、テレビ電話による通話中にユーザがダイヤルキーの中の「５」に対応するキーを操作した場合、キー／ファイルデータ対応テーブルが参照されることによって操作されたキーに対応するファイル名として「Ｏ．Ｋ．」が選択され、さらに、アドレス参照テーブルが参照されることによってファイル名「Ｏ．Ｋ．」というファイルデータが記憶されているアドレスが得られる。得られたアドレスに記憶されたファイルデータが、テレビ電話による通話が確立されたままの状態で、相手端末へと送信される。これにより、通話相手の端末の表示部５００には、携帯電話機のカメラによって撮影される画像５０１と共に「Ｏ．Ｋ．」という文字列５０２が表示される。【選択図】        図５
2005192014.tif 000002
【特許請求の範囲】
【請求項１】
通信回線を介して、相手端末との間で音声通信および画像通信を同時に行なうことによりテレビ電話による通話を行なうテレビ電話通信手段と、
複数のファイルデータを記憶するファイル記憶手段と、
外部から操作される複数の操作手段と、
前記複数の操作手段のそれぞれと前記ファイル記憶手段のそれぞれとを関連づけて記憶する関連記憶手段と、
前記テレビ電話通信手段によってテレビ電話による通話が確立されているときに、前記複数の操作手段の中の或る操作手段が操作された場合、前記ファイル記憶手段において記憶されている複数のファイルデータの中から、前記関連記憶手段において前記或る操作手段と関連付けられているファイルデータを選択し、前記選択されたファイルデータを前記テレビ電話による通話の相手端末に送信するデータ送信手段とを備える、携帯電話端末。
【請求項２】
外部から操作されることにより、操作前記関連記憶手段に記憶されている前記操作手段と前記ファイル記憶手段に記憶されているファイルデータとの関連を変更する関連変更手段をさらに備える、請求項１に記載の携帯電話端末。
【請求項３】
前記テレビ電話通信手段によってテレビ電話による通話が確立されていないときに、前記複数の操作手段の中の或る操作手段が操作された場合、前記ファイル記憶手段において記憶されている複数のファイルデータの中から、前記関連記憶手段において前記或る操作手段と関連付けられているファイルデータを選択し、前記選択されたファイルデータを再生させるデータ再生手段をさらに備える、請求項１または請求項２に記載の携帯電話端末。
【発明の詳細な説明】
【技術分野】
【０００１】
本発明は、携帯電話端末に関し、特に、音声通信および画像通信を同時に行なうことによりテレビ電話による通話機能と、テレビ電話による通話とは別に文字情報や音声情報の送受信を行なう機能とを有するテレビ装置に関するものである。
【背景技術】
【０００２】
近年の技術の進歩により、音声通信と画像通信を同時に行なうことによって、いわゆるテレビ電話による通話が可能な装置が実用化されている。また、従来から、テレビ電話機能を有する携帯電話端末に関して、種々の技術が開示されている。
【０００３】
たとえば、特許文献１では、テレビ電話装置において、テレビ電話による通話中に「保留」という動作を行なったことに基づいて、通信相手側のビデオモニタに「保留」という文字を表示するための制御がなされる等、通話相手側に対し、文字表示データを送信する技術が開示されている。
【特許文献１】特開平６−２２５２９５号公報
【発明の開示】
【発明が解決しようとする課題】
【０００４】
なお、上記した従来技術に加えて、さらに、ユーザは、テレビ電話による通話中に、「保留」等のユーザの通話に関する動作に対応した文字だけでなく、通話の内容に応じた文字等のユーザの所望する情報を通話相手側に送信することを希望する場合があった。
【０００５】
本発明は、かかる実情に鑑み考え出されたものであり、その目的は、テレビ電話による通話中に、ユーザの希望する情報を通話相手側に送信することのできる携帯電話端末を提供することである。
【課題を解決するための手段】
【０００６】
本発明に従った携帯電話端末は、通信回線を介して、相手端末との間で音声通信および画像通信を同時に行なうことによりテレビ電話による通話を行なうテレビ電話通信手段と、複数のファイルデータを記憶するファイル記憶手段と、外部から操作される複数の操作手段と、前記複数の操作手段のそれぞれと前記ファイル記憶手段のそれぞれとを関連づけて記憶する関連記憶手段と、前記テレビ電話通信手段によってテレビ電話による通話が確立されているときに、前記複数の操作手段の中の或る操作手段が操作された場合、前記ファイル記憶手段において記憶されている複数のファイルデータの中から、前記関連記憶手段において前記或る操作手段と関連付けられているファイルデータを選択し、前記選択されたファイルデータを前記テレビ電話による通話の相手端末に送信するデータ送信手段とを備えることを特徴とする。
【０００７】
また、本発明に従った携帯電話端末は、外部から操作されることにより、操作前記関連記憶手段に記憶されている前記操作手段と前記ファイル記憶手段に記憶されているファイルデータとの関連を変更する関連変更手段をさらに備えることが好ましい。
【０００８】
また、本発明に従った携帯電話端末では、前記テレビ電話通信手段によってテレビ電話による通話が確立されていないときに、前記複数の操作手段の中の或る操作手段が操作された場合、前記ファイル記憶手段において記憶されている複数のファイルデータの中から、前記関連記憶手段において前記或る操作手段と関連付けられているファイルデータを選択し、前記選択されたファイルデータを再生させるデータ再生手段をさらに備えることが好ましい。
【発明の効果】
【０００９】
本発明によると、ユーザは、携帯電話端末を用いることにより、テレビ電話による通話中に複数の操作手段の中の操作手段を操作することにより、ファイル記憶手段に記憶されている情報の中の所望のファイルデータを通話相手に送信することができる。したがって、ユーザは、携帯電話端末を用いることにより、テレビ電話による通話中に、ユーザの希望する情報を通話相手側に送信することができる。
【００１０】
また、本発明によると、ユーザは、関連変更手段を操作することにより、所望の操作手段に所望のファイルデータを関連付けさせることができる。
【００１１】
また、本発明によると、ユーザは、テレビ電話による通話を行なっていないときに複数の操作手段の中の或る操作手段を操作することにより、操作した或る操作手段がどのファイルデータに関連付けられているのかを確認することができる。
【発明を実施するための最良の形態】
【００１２】
以下、図面を参照しつつ、本発明の一実施の形態であるカメラ付携帯電話機（以下、携帯電話機と略す）について説明する。なお、以下の説明では、同一の部品には、特記された場合を除き、同一の符号が付され、それらの名称および機能も同じである。したがって、それらについての詳細な説明は繰り返さない。
【００１３】
図１には、携帯電話機１００の外観が示され、図２には、携帯電話機１００のブロック構成が示されている。図１および図２を参照して、携帯電話機１００の概略構成について説明する。
【００１４】
携帯電話機１００では、第１の筐体１２０と第２の筐体１２２とが、ヒンジ１２４を介して連結され、ヒンジ１２４を軸として互いに角変位自在に動くことにより折り畳み可能に構成されている。これにより、携帯電話機１００は、第１の筐体１２０と第２の筐体１２２とが、図１（Ａ）または図１（Ｂ）に示された状態から、折り畳まれることが可能に構成されている。そして、図１（Ａ）は折り畳まれた際の内側となる面を主に示す図であり、図１（Ｂ）は、折り畳まれた際に外側となる面を主に示す図である。
【００１５】
第１の筐体１２０の外側の面には、被写体を撮影して画像データを出力するメインカメラ１０４、および、液晶表示装置などからなる表示部１５２が備えられている。
【００１６】
第１の筐体１２０の内側の面には、被写体を撮影して画像データを出力するサブカメラ１０２、液晶表示装置などからなる表示部１５０、および、携帯電話機１００における通話時に使用されるスピーカ１２６が備えられている。
【００１７】
第２の筐体１２２の外側の面には、着信音等を鳴らすためのスピーカ１２８が備えられている。
【００１８】
第２の筐体１２２の内側の面には、メインカメラ１０４またはサブカメラ１０２を起動させるために操作されるカメラキー１８３、メインカメラ１０４またはサブカメラ１０２によるシャッタ動作および撮影して得られた画像データの保存動作のために操作されるシャッタキー１８９、表示部１５０に表示された内容に対して指示を入力する左オプションキー１８１，右オプションキー１８２、電話番号や文字（数字を含む）を入力するために操作される複数のボタンからなるダイヤルキー１８８、ユーザが携帯電話機１００に対する操作のために適宜操作されるマルチキー１８４〜１８７、および、音声を入力するためのマイク１９０が備えられている。なお、キーの種類および配置はこれに限定されない。例えば、表示部１５０に表示される操作メニューの中から操作すべき項目を選択するようにしてもよい。
【００１９】
図２に、携帯電話機１００の制御ブロック図を示す。
【００２０】
図２を参照して、携帯電話機１００には、当該携帯電話機１００の各部を制御するために、ＣＰＵ（Central Processing Unit）などのマイクロプロセッサを含む制御部２が備えられている。制御部２は、携帯電話機１００の制御に用いるための各種プログラムデータ等を記録するためのメモリ２１を備えている。
【００２１】
なお、メモリ２１には、画像ファイルや音声ファイル等のファイルデータが、記憶されている。また、メモリ２１には、たとえば図３に「アドレス参照テーブル」として示すような、当該ファイルデータのそれぞれのファイル名と当該ファイルデータのそれぞれが記憶されているアドレスとを関連付けるテーブルが記憶されている。
【００２２】
アドレス参照テーブルの一例として記載された図３には、ファイル名として、拍手の効果音の音声ファイルに対応した「拍手」、「ヤッフー」という人の肉声に近い効果音の音声ファイルに対応した「Ｙａｈｏｏ！」、或る楽曲が演奏を流すための音声ファイルである「曲Ａ」、「！」という記号を左右等に移動させながら表示させる画像ファイル「！」、および、「Ｏ．Ｋ．」という文字列を表示させる「Ｏ．Ｋ．」が含まれる。なお、図３に記載されたアドレス参照テーブルにおいて、各ファイルデータのアドレスが、便宜上、「Ａ１」「Ａ２」等の記号で示されているが、実際には、メモリ２１内のアドレスを特定できる情報が記憶されている。また、効果ファイルアドレステーブルにファイル名等を記憶されるファイルデータの数は、図３に示されたものに限定されない。メモリ２１の記憶容量等に基づいて、適宜変更されても良い。
【００２３】
本実施の形態の携帯電話機１００では、テレビ電話による通話中にダイヤルキー１８８の中の、「１」〜「９」の数字に対応するキーのいずれかを操作されると、操作されたキーに応じたファイルデータが、テレビ電話の通話相手に送信される。そして、メモリ２１には、図４に「キー／ファイルデータ対応テーブル」として示されるように、ダイヤルキー１８８の中の「１」〜「９」の数字に対応する各キーと、各キーがテレビ電話による通話中に操作されることによって通話相手に送信されるファイルデータのファイル名とが、関連付けて記憶されている。
【００２４】
キー／ファイルデータ対応テーブルの一例として記載された図４には、ダイヤルキー１８８の中の、「１」に対応するキーにはファイル名「拍手」のファイルデータが、「２」に対応するキーにはファイル名「Ｙａｈｏｏ！」のファイルデータが、「３」に対応するキーにはファイル名「曲Ａ」のファイルデータが、「４」に対応するキーにはファイル名「！（文字）」のファイルデータが、「５」に対応するキーにはファイル名「Ｏ．Ｋ．」のファイルデータが、関連付けられる旨が記載されている。なお、図４に示された状態では、ダイヤルキー１８８の中の「６」〜「９」に対応するキーには、ファイルデータが関連付けされていない。このように、携帯電話機１００では、ダイヤルキー１８８の中の一部のキーにのみファイルデータが関連付けられていても良いし、すべてのキーにファイルデータが関連付けられていても良い。
【００２５】
制御部２には、メインカメラ１０４、サブカメラ１０２、ＲＡＭ（Random Access Memory）からなる作業用メモリ４、圧縮処理部２０を有し画像データを圧縮処理部２０でエンコード（圧縮)して保存処理するための保存処理部５、フラッシュメモリからなる保存用メモリ７、ＲＡＭからなる表示用メモリ８、表示ドライバ部９、スピーカ１２６，１２８、左オプションキー１８１、右オプションキー１８２、シャッタキー１８９、ダイヤルキー１８８、マルチキー１８４〜１８７、カメラキー１８３、マイク１９０、アンテナ１５を介した通信のための通信制御部１３、および、無線部１４が接続される。表示部１５０，１５２は、それぞれ、表示ドライバ部９を介して、制御部２に接続される。
【００２６】
携帯電話機１００は、周知の携帯電話機と同様に、通話機能、メール機能、Ｗｅｂ接続機能（コンピュータ等のネットワークへの接続機能）、および、電話帳機能を有している。電話帳機能では、たとえば、人物等の名前、電話番号、メールアドレス、ＵＲＬ（Uniform Resource Locator）、画像を含む種々のデータを、それぞれの人物等について互いに関連付けて、保存用メモリ７に記憶させることができる。また、携帯電話機１００は、メインカメラ１０４およびサブカメラ１０２において撮影された画像の画像データを生成し保存するカメラ機能を有している。メインカメラ１０４およびサブカメラ１０２において撮影された画像の画像データは、作業用メモリ４に一旦保存され、そして、圧縮処理部２０でエンコードされて保存用メモリ７に保存される。
【００２７】
通信制御部１３は、無線部１４およびアンテナ１５を介して、他の装置との間で、音声通信および画像通信を同時に行なうことができる。これにより、携帯電話機１００は、同一の通信相手と画像および音声を同時に通信することにより、いわゆるテレビ電話による通話が可能となっている。
【００２８】
携帯電話機１００において、ダイヤルキー１８８等が操作されることにより、テレビ電話による通話を行なうための操作がなされると、制御部２は、当該操作によって特定される相手端末との接続を確立させるための処理を実行する。そして、接続が確立されると、携帯電話機１００は、相手端末との間で、テレビ電話による通話が可能な状態となる。なお、本実施の形態では、テレビ電話のための相手端末との接続が確立されている状態をテレビ電話による通話が確立された状態と言う。
【００２９】
携帯電話機１００では、テレビ電話による通話が確立された状態で、ユーザによってダイヤルキー１８８の中の或るキーを操作されると、制御部２は、図４のキー／ファイルデータ対応テーブルを参照して、操作された或るキーに対応するファイル名を選択した後、図３のアドレス参照テーブルを参照して、選択したファイル名に対応するアドレスを得る。そして、制御部２は、得られたアドレスに記憶されたファイルデータを、テレビ電話による通話を確立させたままの状態で、相手端末へと送信する。
【００３０】
たとえば、テレビ電話による通話中にユーザがダイヤルキー１８８の中の「５」に対応するキーを操作した場合に、制御部２は、キー／ファイルデータ対応テーブルを参照して、操作されたキーに対応するファイル名として「Ｏ．Ｋ．」を選択し、アドレス参照テーブルを参照して、ファイル名「Ｏ．Ｋ．」というファイルデータが記憶されているアドレスを得る。そして、制御部２は、得られたアドレスに記憶されたファイルデータを、テレビ電話による通話を確立させたままの状態で、相手端末へと送信する。これにより、通話相手の端末では、図５に示すように、「Ｏ．Ｋ．」という文字列が予め定められた時間数だけ表示される。予め定められた時間数とは、たとえば、制御部２が、ファイルデータと共に通話相手に送信する情報の中に含まれる情報によって規定されても良い。
【００３１】
図５を参照して、通話相手の端末の表示部５００には、携帯電話機１００のサブカメラ１０２（またはメインカメラ１０４）によって撮影される画像５０１（たとえば、携帯電話機１００を操作するユーザの画像）と共に、「Ｏ．Ｋ．」という文字列５０２が表示されている。
【００３２】
なお、携帯電話機１００は、このような場合に、相手端末の表示部５００に、たとえば図６に示すように、一定時間（たとえば数秒程度）だけ、携帯電話機１００のサブカメラ１０２によって撮影される映像を表示させることなく、「Ｏ．Ｋ．」という文字列５０３のみを表示されるように構成されても良い。
【００３３】
以上説明した本実施の形態において、メモリ２１に記憶される音声ファイルは、たとえば、ＭＩＤＩ（Musical Instruments Digital Interface）形式のデータや、ＭＰ３（Moving Picture experts group audio layer-3）形式のデータであっても良いし、テレビ電話の通話相手となる端末において記憶されている音声ファイルを再生させるための制御信号とすることもできる。
【００３４】
また、以上説明した携帯電話機１００は、テレビ電話による通話が確立されていないときに、所定のモードとされることにより、ダイヤルキー１８８の中の各キーを操作することによって、当該キーにどのようなファイルデータが関連付けられているかを確認できるように構成されることが好ましい。このような場合、携帯電話機１００は、左オプションキー１８１や右オプションキー１８２等を適宜操作することによって所定のモード（たとえば「ファイル確認モード」等）へと移行するように構成される。そして、このように携帯電話機１００が所定のモードへと移行している場合には、制御部２は、ダイヤルキー１８８中の或るキーが操作されると、キー／ファイルデータ対応テーブルおよびアドレス参照テーブルを参照することによってアドレスを特定されるファイルデータを、再生させさせたり、当該ファイルデータのファイル名を表示部１５０に表示させることが考えられる。
【００３５】
また、以上説明した本実施の形態において、図４に示されたキー／ファイルデータ対応テーブルの記憶内容は、変更可能に構成されている。つまり、ダイヤルキー１８８の中の各キーが、メモリ２１に記憶されているどのファイルデータと対応しているかについては、ユーザが適宜変更することができる。ユーザは、第２の筐体１２２上の各種キーを操作することによって、そのような変更を行なうことができる。一方、携帯電話機１００においてそのような変更のための操作がなされると、制御部２は、操作内容に応じて、図４に示されたキー／ファイルデータ対応テーブルの記憶内容を更新する。
【００３６】
また、アドレス参照テーブルおよびキー／ファイルデータ対応テーブルにおいて関連付けられるファイルデータは、予めメモリ２１に記憶されていたファイルデータに限定されない。つまり、アドレス参照テーブルおよびキー／ファイルデータ対応テーブルにおいて関連付けられるファイルデータは、サブカメラ１０２およびメインカメラ１０４で撮影を行なうことによって生成される画像ファイルや、ユーザがマイク１９０を介して録音することによって生成される音声ファイルのデータであっても良い。
【００３７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３８】
【図１】本発明の一実施の形態であるカメラ付携帯電話機の外観が示す図である。
【図２】図１のカメラ付き携帯電話機の制御ブロック図である。
【図３】図２のメモリに記憶されているアドレス参照テーブルの一例を示す図である。
【図４】図２のメモリに記憶されているキー／ファイルデータ対応テーブルの一例を示す図である。
【図５】図１のカメラ付き携帯電話機が、テレビ電話の通話相手の画面に表示させる画面の一例を示す図である。
【図６】図１のカメラ付き携帯電話機が、テレビ電話の通話相手の画面に表示させる画面の他の一例を示す図である。
【符号の説明】
【００３９】
２  制御部、４  作業用メモリ、５  保存処理部、７  保存用メモリ、８  表示用メモリ、１３  通信制御部、１４  無線部、１５  アンテナ、２０  圧縮処理部、２１  メモリ、１００  カメラ付き携帯電話機、１０２  サブカメラ、１０４  メインカメラ、１５０，１５２  表示部、１８８  ダイヤルキー、１９０  マイク。
【図１】
2005192014.tif 000003
【図２】
2005192014.tif 000004
【図３】
2005192014.tif 000005
【図４】
2005192014.tif 000006
【図５】
2005192014.tif 000007
【図６】
2005192014.tif 000008